(57)【特許請求の範囲】
【請求項１】
所定の積層方向に積層された略シート状の複数の吸収性物品を前記積層方向に圧縮した状態で収容する略直方体の吸収性物品包装体であって、
前記複数の吸収性物品の前記積層方向に略平行であるとともに前記複数の吸収性物品の積層体の上面および下面をそれぞれ覆う上面部および下面部と、
前記上面部と前記下面部とを接続するとともに前記積層方向に略平行であって前記積層体の前面および後面をそれぞれ覆う前面部および後面部と、
前記積層方向に略垂直であって前記積層方向の両側において吸収性物品の主面に当接する第１側面部および第２側面部と、
を備え、
前記前面部が、
所定の破断開始位置から前記第１側面部に向かって前記積層方向に略平行に伸びる横脆弱線と、
前記破断開始位置から前記下面部に向かって前記積層方向に略垂直に伸びる縦脆弱線と、
を備え、
前記横脆弱線および前記縦脆弱線に沿って前記前面部が破断されることにより吸収性物品の取り出しに利用される前部開口が形成され、
前記横脆弱線に沿った破断に要する力が、前記縦脆弱線に沿った破断に要する力よりも小さいことを特徴とする吸収性物品包装体。
【請求項２】
請求項１に記載の吸収性物品包装体であって、
前記横脆弱線が、前記前面部において直線上に一定の長さおよびピッチにて形成された複数の線状切断部を有し、
前記縦脆弱線が、前記前面部において直線上に一定の長さおよびピッチにて形成された複数の線状切断部を有し、
前記横脆弱線における線状切断部の長さが、前記縦脆弱線の線状切断部の長さ以上であり、
前記横脆弱線における線状切断部間の非切断部の長さが、前記縦脆弱線における非切断部の長さの半分よりも小さいことを特徴とする吸収性物品包装体。
【請求項３】
請求項２に記載の吸収性物品包装体であって、
前記横脆弱線における線状切断部の長さが、前記縦脆弱線の線状切断部の長さに等しいことを特徴とする吸収性物品包装体。
【請求項４】
請求項１ないし３のいずれかに記載の吸収性物品包装体であって、
前記前面部が、前記破断開始位置において使用者により摘まれることにより前記前部開口の形成開始を補助する補助タブをさらに備え、
前記補助タブが、前記横脆弱線および前記縦脆弱線に連続するとともに前記第２側面部側に突出した形状である脆弱線に沿って周囲の部位から切り離された後に、使用者により摘まれることを特徴とする吸収性物品包装体。
【請求項５】
請求項１ないし４のいずれかに記載の吸収性物品包装体であって、
前記前面部において、前記横脆弱線および前記縦脆弱線により囲まれる領域が周囲と視覚的に識別可能であることを特徴とする吸収性物品包装体。
【請求項６】
請求項１ないし５のいずれかに記載の吸収性物品包装体であって、
前記後面部が、
所定の破断開始位置から前記第１側面部に向かって前記積層方向に略平行に伸びる横脆弱線と、
前記破断開始位置から前記下面部に向かって前記積層方向に略垂直に伸びる縦脆弱線と、
を備え、
前記横脆弱線および前記縦脆弱線に沿って前記後面部が破断されることにより吸収性物品の取り出しに利用される後部開口が形成され、
前記横脆弱線に沿った破断に要する力が、前記縦脆弱線に沿った破断に要する力よりも小さいことを特徴とする吸収性物品包装体。
【請求項７】
請求項６に記載の吸収性物品包装体であって、
前記第１側面部が、前記前面部の前記横脆弱線と前記後面部の前記横脆弱線とを接続する横脆弱線を備えることを特徴とする吸収性物品包装体。
【発明の詳細な説明】
【技術分野】
【０００１】
本発明は、複数の吸収性物品を収容する吸収性物品包装体に関する。
【背景技術】
【０００２】
従来より、使い捨ておむつや使い捨ておむつの内側に取り付けられる補助吸収具（例えば、尿取りパッド）等の吸収性物品は、積層された複数個の吸収性物品を積層方向に圧縮した状態で包装袋に収容して販売されている。このような包装袋では一の面にミシン目が設けられており、当該ミシン目に沿って包装袋を破ることにより、吸収性物品を取り出すための取出口が形成される。例えば、特許文献１の吸収性物品包装体では、前面部が、所定位置に設けられる補助タブから側面部に向かって伸びる横脆弱線と、補助タブから下面部に向かって伸びる縦脆弱線とを有し、補助タブを引っ張ることにより、これらの脆弱線に沿って前面部が破断されて開口が形成される。
【先行技術文献】
【特許文献】
【０００３】
【特許文献１】特開２００７−４５４５７号公報
【発明の概要】
【発明が解決しようとする課題】
【０００４】
ところで、特許文献１の吸収性物品包装体のように、補助タブを引っ張ることにより横脆弱線および縦脆弱線に沿って前面部を破断する場合、使用者が下向きに大きい力を無意識に付与してしまうことが多い。この場合、横脆弱線の全体において前面部が破断されずに、横脆弱線の途中から下面部に向かって縦方向に前面部が破れてしまい、開口が適切に形成されないことがある。
【０００５】
本発明は上記課題に鑑みなされたものであり、吸収性物品の取り出しに利用される開口を適切に形成することを目的としている。
【課題を解決するための手段】
【０００６】
請求項１に記載の発明は、所定の積層方向に積層された略シート状の複数の吸収性物品を前記積層方向に圧縮した状態で収容する略直方体の吸収性物品包装体であって、前記複数の吸収性物品の前記積層方向に略平行であるとともに前記複数の吸収性物品の積層体の上面および下面をそれぞれ覆う上面部および下面部と、前記上面部と前記下面部とを接続するとともに前記積層方向に略平行であって前記積層体の前面および後面をそれぞれ覆う前面部および後面部と、前記積層方向に略垂直であって前記積層方向の両側において吸収性物品の主面に当接する第１側面部および第２側面部とを備え、前記前面部が、所定の破断開始位置から前記第１側面部に向かって前記積層方向に略平行に伸びる横脆弱線と、前記破断開始位置から前記下面部に向かって前記積層方向に略垂直に伸びる縦脆弱線とを備え、前記横脆弱線および前記縦脆弱線に沿って前記前面部が破断されることにより吸収性物品の取り出しに利用される前部開口が形成され、前記横脆弱線に沿った破断に要する力が、前記縦脆弱線に沿った破断に要する力よりも小さい。
【０００７】
請求項２に記載の発明は、請求項１に記載の吸収性物品包装体であって、前記横脆弱線が、前記前面部において直線上に一定の長さおよびピッチにて形成された複数の線状切断部を有し、前記縦脆弱線が、前記前面部において直線上に一定の長さおよびピッチにて形成された複数の線状切断部を有し、前記横脆弱線における線状切断部の長さが、前記縦脆弱線の線状切断部の長さ以上であり、前記横脆弱線における線状切断部間の非切断部の長さが、前記縦脆弱線における非切断部の長さの半分よりも小さい。
【０００８】
請求項３に記載の発明は、請求項２に記載の吸収性物品包装体であって、前記横脆弱線における線状切断部の長さが、前記縦脆弱線の線状切断部の長さに等しい。
【０００９】
請求項４に記載の発明は、請求項１ないし３のいずれかに記載の吸収性物品包装体であって、前記前面部が、前記破断開始位置において使用者により摘まれることにより前記前部開口の形成開始を補助する補助タブをさらに備え、前記補助タブが、前記横脆弱線および前記縦脆弱線に連続するとともに前記第２側面部側に突出した形状である脆弱線に沿って周囲の部位から切り離された後に、使用者により摘まれる。
【００１０】
請求項５に記載の発明は、請求項１ないし４のいずれかに記載の吸収性物品包装体であって、前記前面部において、前記横脆弱線および前記縦脆弱線により囲まれる領域が周囲と視覚的に識別可能である。
【００１１】
請求項６に記載の発明は、請求項１ないし５のいずれかに記載の吸収性物品包装体であって、前記後面部が、所定の破断開始位置から前記第１側面部に向かって前記積層方向に略平行に伸びる横脆弱線と、前記破断開始位置から前記下面部に向かって前記積層方向に略垂直に伸びる縦脆弱線とを備え、前記横脆弱線および前記縦脆弱線に沿って前記後面部が破断されることにより吸収性物品の取り出しに利用される後部開口が形成され、前記横脆弱線に沿った破断に要する力が、前記縦脆弱線に沿った破断に要する力よりも小さい。
【００１２】
請求項７に記載の発明は、請求項６に記載の吸収性物品包装体であって、前記第１側面部が、前記前面部の前記横脆弱線と前記後面部の前記横脆弱線とを接続する横脆弱線を備える。
【発明の効果】
【００１３】
本発明によれば、横脆弱線および縦脆弱線の双方に沿って前面部を破断することを容易に行うことができ、前部開口を適切に形成することができる。
【００１４】
請求項４の発明では、補助タブが第２側面部側に突出した形状であるため使用者に横脆弱線に沿った破断を促して、横脆弱線に沿った破断をより確実に行わせることができる。請求項７の発明では、前部開口と後部開口とを接続する側部開口を第１側面部に形成して、吸収性物品のより容易な取り出しを実現することができる。
【図面の簡単な説明】
【００１５】
【図１．Ａ】吸収性物品包装体を示す斜視図である。
【図１．Ｂ】吸収性物品包装体を示す斜視図である。
【図１．Ｃ】吸収性物品包装体を示す斜視図である。
【図２】吸収性物品積層体を示す斜視図である。
【図３】吸収性物品を示す平面図である。
【図４】前面部上の脆弱線を示す図である。
【図５】前面部に印刷される画像を示す図である。
【図６】第１側面部に印刷される画像を示す図である。
【図７】吸収性物品包装体に印刷される画像の他の例を示す図である。
【図８】吸収性物品包装体に印刷される画像の他の例を示す図である。
【図９】前面部上の脆弱線の他の例を示す図である。
【図１０】前面補助脆弱線の他の例を示す図である。
【図１１】前面部上の脆弱線の他の例を示す図である。
【図１２】吸収性物品包装体に印刷される画像の他の例を示す図である。
【図１３】補助タブを引っ張る方向を示す表示の他の例を示す図である。
【図１４】補助タブを引っ張る方向を示す表示の他の例を示す図である。
【図１５】補助タブを引っ張る方向を示す表示の他の例を示す図である。
【図１６】補助タブを引っ張る方向を示す表示の他の例を示す図である。
【図１７】補助タブを引っ張る方向を示す表示の他の例を示す図である。
【図１８】吸収性物品包装体の他の例を示す斜視図である。
【図１９】吸収性物品包装体の他の例を示す斜視図である。
【発明を実施するための形態】
【００１６】
図１．Ａ、図１．Ｂおよび図１．Ｃは、本発明の一の実施の形態に係る吸収性物品包装体１を示す斜視図であり、図２は、吸収性物品包装体１に収容される複数の吸収性物品９の積層体（以下、「吸収性物品積層体」という。）９０を示す斜視図である。図１．Ａに示すように、吸収性物品包装体１は略直方体であり、図２に示すように所定の積層方向（すなわち、図２中のＸ方向）に積層されるとともに積層方向に圧縮された状態の略シート状の複数の吸収性物品９（すなわち、吸収性物品積層体９０）が吸収性物品包装体１内に収容される。図１．Ａないし図１．Ｃ、並びに、図２では直交する水平な２方向をＸ方向およびＹ方向として示し、Ｘ方向およびＹ方向に垂直な鉛直方向をＺ方向として示している。
【００１７】
図３は、吸収性物品９の構成を示す平面図である。吸収性物品９は、着用者に着用される外装物品（例えば、使い捨ておむつ）の着用者側に取り付けられて着用者からの排泄物を受ける尿取りパッド等の補助吸収具である。図３では、着用者に接する面（すなわち、着用者側）を手前側にして吸収性物品９を描いている。
【００１８】
図３に示すように、吸収性物品９は、略シート状の本体部９２、および、本体部９２の長手方向のほぼ全長に亘って本体部９２の幅方向の両側に設けられた一対の側壁部９３を備える。一対の側壁部９３のそれぞれには、長手方向に伸びる２本の弾性部材９３１が接合されており、弾性部材９３１が収縮することにより、本体部９２の側方において側壁部９３が着用者側に向かって立ち上がり、着用時に着用者の足の付け根近傍に当接する立体ギャザー（いわゆる、レッグギャザー）が形成される。
【００１９】
本体部９２は、吸収体である吸収コア９２２、吸収コア９２２の着用者側の主面を覆うトップシート９２１、および、吸収コア９２２のもう一方の主面を覆うバックシート９２３を備え、トップシート９２１およびバックシート９２３は、ホットメルト接着剤等により吸収コア９２２の周囲にて互いに接合される。本体部９２は、長手方向の両側の端部近傍において、着用者側とは反対側の主面上（すなわち、バックシート９２３の外側の主面上）に、幅方向に広がって存在する止着部である面ファスナ９２４を備える。面ファスナ９２４は、微小なフック部材を多数有し、吸収性物品９が使い捨ておむつに取り付けられる際に使い捨ておむつの着用者側と対向し、使い捨ておむつの着用者側の不織布や布地中の繊維群に着脱可能に接合される。
【００２０】
図２に示すように、吸収性物品９は、長手方向における略中央の位置にて着用者側であるトップシート９２１（図３参照）を内側にして２つ折りにされた状態で積層方向に積層され、折り目を上側（すなわち、（＋Ｚ）側）に向けて吸収性物品包装体１（図１．Ａ参照）に収容される。２つ折りにされた状態の各吸収性物品９では、バックシート９２３が（＋Ｘ）側および（−Ｘ）側を向いており、面ファスナ９２４が、バックシート９２３の（＋Ｘ）側および（−Ｘ）側の面（すなわち、２つ折にされた吸収性物品９の両側の主面）の下端側（（−Ｚ）側）の領域に位置する。
【００２１】
図１．Ａに示すように、吸収性物品包装体１は、複数の吸収性物品９の積層方向（Ｘ方向）に略平行であるとともに吸収性物品積層体９０の上面９０１および下面９０２（図２参照）をそれぞれ覆う上面部１１および下面部１２、上面部１１と下面部１２とを接続するとともに積層方向に略平行であって吸収性物品積層体９０の前面９０３および後面９０４（図２参照）をそれぞれ覆う前面部１３および後面部１４、並びに、積層方向に略垂直であって吸収性物品積層体９０の（＋Ｘ）側の側面９０５および（−Ｘ）側の側面９０６（図２参照）をそれぞれ覆う第１側面部１５および第２側面部１６を備える。第１側面部１５および第２側面部１６は、積層方向における吸収性物品積層体９０の両側（すなわち、（＋Ｘ）側および（−Ｘ）側）において吸収性物品９の主面に当接する。上面部１１、下面部１２、前面部１３、後面部１４、第１側面部１５および第２側面部１６は、１枚のフィルム（例えば、プラスチックフィルム）にて形成される。
【００２２】
吸収性物品包装体１は、また、上面部１１に接続されるとともに購入者等に把持される把持部１７を備え、把持部１７には、把持する者の指が挿入される開口１７１が形成される。
【００２３】
図１．Ａに示すように、第１側面部１５は、上端近傍において上端のエッジに沿ってＹ方向に伸びる側面横脆弱線（本実施の形態では、断続的に形成された切れ目）１５８を有する。前面部１３は、側面横脆弱線１５８から連続して（−Ｘ）方向へと伸びる前面横脆弱線１３８、前面部１３のＸ方向の中央よりも第１側面部１５側にて前面横脆弱線１３８に連続するとともに第２側面部１６側に突出した凸形状である前面補助脆弱線１３７、および、前面補助脆弱線１３７に連続するとともに（−Ｚ）方向へと伸びる前面縦脆弱線１３９を有する。また、後面部１４も前面部１３と同様に、側面横脆弱線１５８から連続して（−Ｘ）方向へと伸びる後面横脆弱線１４８、後面部１４のＸ方向の中央よりも第１側面部１５側にて後面横脆弱線１４８に連続するとともに第２側面部１６側に突出した凸形状である後面補助脆弱線１４７、および、後面補助脆弱線１４７に連続するとともに（−Ｚ）方向へと伸びる後面縦脆弱線１４９を有する。
【００２４】
吸収性物品包装体１では、前面部１３、第１側面部１５および後面部１４が、これらの脆弱線１３７〜１３９，１４７〜１４９，１５８に沿って破断されることにより（すなわち、その一部が周囲の部位から切り離されることにより）、図１．Ｂに示すように、吸収性物品９の取り出しに利用される開口（すなわち、取出口）１８が形成される。図１．Ｂでは、図示の都合上、第１側面部１５側の吸収性物品９が２つ取り出された後の状態を描いている。
【００２５】
以下、開口１８のうち、前面部１３、第１側面部１５および後面部１４に形成される部分をそれぞれ「前部開口１３１」、「側部開口１５１」および「後部開口１４１」と呼ぶ。前部開口１３１および後部開口１４１は、側部開口１５１に連通している。また、図１．Ａおよび図１．Ｂに示すように、前面部１３、第１側面部１５および後面部１４のうち、脆弱線に沿って周囲の部位から切り離されることにより前部開口１３１、側部開口１５１および後部開口１４１を形成する部位をそれぞれ、「前部開口形成部１３２」、「側部開口形成部１５２」および「後部開口形成部１４２」と呼ぶ。
【００２６】
図１．Ｂに示すように、側部開口１５１は、第１側面部１５の前面部１３側のエッジから後面部１４側のエッジに亘って（すなわち、第１側面部１５を横断するように）設けられる。側部開口１５１の下端は、上下方向に関して第１側面部１５の下端と吸収性物品包装体１に収容されている吸収性物品９の面ファスナ９２４の下端との間に位置する。また、側部開口１５１の上端は、第１側面部１５の上端よりも下側に位置する。
【００２７】
図４は、前面部１３における前面横脆弱線１３８、前面縦脆弱線１３９および前面補助脆弱線１３７を示す図である。また、図５は前部開口形成部１３２近傍にて前面部１３に印刷される画像を示す図である。なお、図５中の太い破線２３１は、図４の前面横脆弱線１３８、前面縦脆弱線１３９および前面補助脆弱線１３７に重ねて印刷されており、図５では、脆弱線１３７〜１３９の図示を省略し（後述の図６ないし図８、並びに、図１２ないし図１７において同様）、図４では、印刷画像の図示を省略している（図１．Ａないし図１．Ｃ、後述の図９ないし図１１、図１８、並びに、図１９において同様）。
【００２８】
前面部１３は、図４に示すように、前部開口形成部１３２の第２側面部１６側（すなわち、（−Ｘ）側）のエッジの上側に設けられる補助タブ１３３を備える。後述する吸収性物品包装体１の開封時には、補助タブ１３３は、第２側面部１６側へと突出した形状の前面補助脆弱線１３７に沿って周囲の部位から切り離された後に、使用者により摘まれることにより前部開口１３１の形成開始を補助する。したがって、補助タブ１３３は前面部１３の破断開始位置に配置されているといえる。図５に示すように、補助タブ１３３近傍には、使用者の注意を促して前面部１３の破断開始位置であることを容易に認識させるための目印（本実施の形態では、「ここから開ける」の注意書きや矢印であり、他の注意書きや図形等であってもよい。）が印刷される。
【００２９】
図４に示すように、前面横脆弱線１３８は、Ｘ方向に伸びる直線上に一定の長さおよびピッチにて形成された複数の線状切断部１３８１を有し、前面縦脆弱線１３９は、Ｚ方向に伸びる直線上に一定の長さおよびピッチにて形成された複数の線状切断部１３９１を有する。本実施の形態では、前面横脆弱線１３８の線状切断部１３８１の長さおよびピッチはそれぞれ２ミリメートル（ｍｍ）および５ｍｍであり、前面縦脆弱線１３９の線状切断部１３９１の長さおよびピッチはそれぞれ２ｍｍおよび１０ｍｍである。したがって、前面横脆弱線１３８において互いに隣接する２つの線状切断部１３８１間の部位である非切断部１３８２の長さは３ｍｍであり、前面縦脆弱線１３９における線状切断部１３９１間の非切断部１３９２の長さは８ｍｍである。
【００３０】
このように、前面部１３では、前面横脆弱線１３８における線状切断部１３８１の長さが、前面縦脆弱線１３９の線状切断部１３９１の長さに等しく、前面横脆弱線１３８の非切断部１３８２の長さが、前面縦脆弱線１３９の非切断部１３９２の長さの半分よりも小さい。したがって、使用者が補助タブ１３３を引っ張って、シート状の前面部１３におよそ垂直な方向（Ｙ方向）に力を加えた場合に、前面横脆弱線１３８において連続して破断が生じる力が（すなわち、前面横脆弱線１３８の複数の非切断部１３８２を連続的に切断するための力が）、前面縦脆弱線１３９において連続して破断が生じる力よりも小さい。すなわち、前面部１３において前面横脆弱線１３８に沿った破断に要する力が、前面縦脆弱線１３９に沿った破断に要する力よりも小さい。なお、図１．Ａおよび図１．Ｃ（並びに、後述の図１８および図１９）では、前面横脆弱線１３８および前面縦脆弱線１３９を同じ種類の破線にて示している（後面横脆弱線１４８および後面縦脆弱線１４９において同様）。
【００３１】
既述のように、前面部１３では、前面横脆弱線１３８、前面縦脆弱線１３９および前面補助脆弱線１３７に重ねて、図５に示す破線２３１（以下、「破断案内線２３１」という。）が印刷される。また、第１側面部１５に向かう方向（（＋Ｘ）方向）を示す複数の矢印２３２、および、下面部１２に向かう方向（（−Ｚ）方向）を示す複数の矢印２３３が破断案内線２３１に重ねて印刷される。さらに、破断案内線２３１にて囲まれる前部開口形成部１３２には、その周囲とは異なる模様や色が印刷される。したがって、前面部１３では、前面横脆弱線１３８および前面縦脆弱線１３９にて囲まれる領域が周囲と視覚的に容易に識別可能である。
【００３２】
図１．Ａに示す後部開口形成部１４２も前部開口形成部１３２と同様の構造であり、第２側面部１６側に突出した形状である後面補助脆弱線１４７に沿って周囲の部位から切り離された後に、使用者により摘まれる補助タブ１４３を有し、補助タブ１４３が後面部１４上の破断開始位置において使用者により摘まれることにより後部開口１４１の形成開始が補助される。後面横脆弱線１４８の線状切断部の長さおよびピッチは、図４の前面横脆弱線１３８の線状切断部１３８１と同じであり、後面縦脆弱線１４９の線状切断部の長さおよびピッチは前面縦脆弱線１３９の線状切断部１３９１と同じである。したがって、後面部１４では、後面横脆弱線１４８に沿った破断に要する力が、後面縦脆弱線１４９に沿った破断に要する力よりも小さい。後面部１４においても、図５の前面部１３における破断案内線２３１および矢印２３２，２３３と同じ破線および矢印が印刷される。また、後面横脆弱線１４８および後面縦脆弱線１４９にて囲まれる領域が周囲と視覚的に識別可能である。
【００３３】
吸収性物品包装体１が開封される際には、まず、前面部１３が前面補助脆弱線１３７に沿って使用者により破断されることにより、図１．Ｃに示すように、前部開口形成部１３２の補助タブ１３３が周囲の部位から切り離され、摘まれて手前側（図１．Ｃ中の（−Ｙ）側）へと引き出される。続いて、補助タブ１３３が、使用者により斜め下方（すなわち、第１側面部１５側かつ下面部１２側）へと引っ張られることにより、前部開口１３１の形成が開始される。
【００３４】
実際には、破断開始位置（補助タブ１３３）から第１側面部１５に向かう前面横脆弱線１３８、および、破断開始位置から下面部１２に向かう前面縦脆弱線１３９に沿って前面部１３が破断される。このとき、図５の前面部１３上に印刷された複数の矢印２３２，２３３により使用者に対して破断方向について注意が促され、また、前面部１３では、切り離すべき領域（すなわち、前部開口形成部１３２）が周囲と識別可能である。したがって、使用者により前面部１３が前面横脆弱線１３８および前面縦脆弱線１３９の全体に亘って注意深く破断され、前部開口１３１が適切に形成される。
【００３５】
続いて、図１．Ｃの後面部１４も、前面部１３と同様にして破断される。すなわち、使用者が補助タブ１４３を引っ張ることにより、破断開始位置（補助タブ１４３）から第１側面部１５に向かう後面横脆弱線１４８、および、破断開始位置から下面部１２に向かう後面縦脆弱線１４９に沿って後面部１４が破断され、後部開口１４１が形成される。その後、第１側面部１５が側面横脆弱線１５８に沿って破断されることにより、側部開口形成部１５２が周囲の部位から切り離され、側部開口１５１が形成される。周囲の部位から切り離された前部開口形成部１３２、側部開口形成部１５２および後部開口形成部１４２は、図１．Ｂに示すように下方に引き下ろされる。開口１８から露出した吸収性物品９は１つずつ、使用者により（＋Ｘ）方向に取り出される。
【００３６】
好ましい吸収性物品包装体１では、図６に示すように、吸収性物品包装体１の開封方法を示す表示部２５１が第１側面部１５上に印刷されており、表示部２５１を参照することにより、使用者が開口１８を適切に形成することが可能となる。なお、図６の表示部２５１に代えて、図７に示すように、前面部１３、後面部１４および第１側面部１５に、１ないし３の番号を付した矢印２３４，２４４，２５４を印刷することにより、吸収性物品包装体１の開封方法（開封順序）が使用者に示されてもよい。なお、図７では、展開した状態における吸収性物品包装体１の一部を示している（後述の図８および図１２において同様）。また、図８に示すように、前面部１３および第１側面部１５上に前面部１３から第１側面部１５に向かう矢印２３５を印刷し、後面部１４および第１側面部１５上に後面部１４から第１側面部１５に向かう矢印２４５を印刷し、第１側面部１５上に下面部１２に向かう矢印２５５を印刷することにより、吸収性物品包装体１の開封方法が実質的に使用者に示されてもよい。
【００３７】
なお、吸収性物品包装体１では、前部開口形成部１３２、側部開口形成部１５２および後部開口形成部１４２の下端側にも脆弱線が設けられ、前部開口１３１、側部開口１５１および後部開口１４１（すなわち、開口１８）の形成後、あるいは、開口１８の形成と並行して、前部開口形成部１３２、側部開口形成部１５２および後部開口形成部１４２が、当該下端側の脆弱線に沿って吸収性物品包装体１から切り取られて除去されてもよい。
【００３８】
ここで、前面横脆弱線の線状切断部の長さおよびピッチが前面縦脆弱線の線状切断部と同じである比較例の吸収性物品包装体を想定する。補助タブを引っ張ることにより吸収性物品包装体を開封する際には、使用者が下向きに大きい力を無意識に付与してしまうことが多いため、比較例の吸収性物品包装体では、前面横脆弱線の全体において前面部が破断されず、前面横脆弱線の途中から下面部に向かって縦方向に前面部が破れてしまい、開口が適切に形成されないことがある。
【００３９】
これに対し、図１．Ａの吸収性物品包装体１の前面部１３では、前面横脆弱線１３８に沿った破断に要する力が、前面縦脆弱線１３９に沿った破断に要する力よりも小さいため、前面横脆弱線１３８に沿って前面部１３を破断しやすくなる。その結果、前面横脆弱線１３８および前面縦脆弱線１３９の双方に沿って前面部１３を破断することを容易に行うことができ、前部開口１３１を適切に形成することができる。また、補助タブ１３３が第２側面部１６側に突出した形状であるため、使用者に前面横脆弱線１３８に沿った破断を促して、前面横脆弱線１３８に沿った破断をより確実に行わせることができる。さらに、前面部１３において、前面横脆弱線１３８および前面縦脆弱線１３９により囲まれる領域が周囲と視覚的に識別可能であることにより、切り離すべき領域を使用者が容易に認識することができ、前部開口１３１を容易に形成することができる。
【００４０】
後面部１４においても、前面部１３と同様に、後面横脆弱線１４８に沿った破断に要する力が、後面縦脆弱線１４９に沿った破断に要する力よりも小さいため、後部開口１４１を適切に形成することができる。また、第１側面部１５が、前面横脆弱線１３８と後面横脆弱線１４８とを接続する側面横脆弱線１５８を有することにより、前部開口１３１と後部開口１４１とを接続する側部開口１５１を第１側面部１５に形成して、吸収性物品９のより容易な取り出しを実現することができる。
【００４１】
吸収性物品包装体１では、吸収性物品９が着用者側を内側にして２つ折りにされた状態で収容されているため、吸収性物品９を包装する際や保管している間、あるいは、吸収性物品９を吸収性物品包装体１から取り出す際に、着用者に接する側が汚損することを防止することができるとともに３つ折りにされた状態で収容されている場合等に比べて取り出した吸収性物品９を片手で容易に展開することができる。また、吸収性物品９が折り目を上側に向けて収容されているため、吸収性物品９の取り出し時に吸収性物品９の上端側を容易に掴むことができ、吸収性物品包装体１からの取り出しをさらに容易化することができる。
【００４２】
以上、本発明の実施の形態について説明してきたが、本発明は上記実施の形態に限定されるものではなく、様々な変更が可能である。
【００４３】
図４の前面部１３では、前面横脆弱線１３８における線状切断部１３８１が、前面縦脆弱線１３９の線状切断部１３９１よりも長くてもよい。吸収性物品包装体１では、前面横脆弱線１３８における線状切断部１３８１を、前面縦脆弱線１３９の線状切断部１３９１の長さ以上とし、前面横脆弱線１３８における線状切断部１３８１間の非切断部１３８２の長さを、前面縦脆弱線１３９における非切断部１３９２の長さの半分よりも小さくすることにより、前面横脆弱線１３８に沿った破断に要する力を、前面縦脆弱線１３９に沿った破断に要する力よりも小さくすることがより確実に可能となる。なお、前面部１３における上記変更は、後面部１４についても同様に適用可能である（以下同様）。
【００４４】
また、前面横脆弱線１３８に沿った破断に要する力を、前面縦脆弱線１３９に沿った破断に要する力よりも小さくすることが可能であるならば、例えば、図９に示すようにジグザグ状に配置された線状切断部１３８１，１３９１や、断続的に配列された丸穴等により構成されるミシン目を有する前面横脆弱線１３８および前面縦脆弱線１３９が形成されてもよい。このように、吸収性物品９の積層方向に略平行に伸びる前面横脆弱線１３８、および、積層方向に略垂直に伸びる前面縦脆弱線１３９は、様々な態様にて形成可能である（後面横脆弱線１４８および後面縦脆弱線１４９において同様）。
【００４５】
前面部１３では、図１０のように（−Ｘ）側かつ（＋Ｚ）側に突出する形状にて前面補助脆弱線１３７が形成されてもよい。この場合も、第２側面部１６側（（−Ｘ）側）に突出した形状である補助タブ１３３により、使用者に前面横脆弱線１３８に沿った破断を促して、前面横脆弱線１３８に沿った破断をより確実に行わせることができる。なお、吸収性物品包装体１の設計によっては、前部開口形成部１３２から（−Ｙ）側に突出する補助タブが、前部開口形成部１３２の表面に接合されてもよい。
【００４６】
図１．Ａの吸収性物品包装体１では補助タブ１３３を引っ張ることにより、吸収性物品包装体１を容易に開封することが可能であるが、吸収性物品包装体１では、補助タブとして明確に認識される部位が必ずしも設けられる必要はなく、例えば、図１１に示すように、前面横脆弱線１３８および前面縦脆弱線１３９が直接的に接続されてもよい。この場合、前面横脆弱線１３８と前面縦脆弱線１３９とが交わる位置が破断開始位置と捉えられ、前部開口形成部１３２における当該位置近傍が使用者により周囲の部位から切り離された後、摘まれ、第１側面部１５側かつ下面部１２側（（＋Ｘ）側かつ（−Ｚ）側）へと引っ張られる。
【００４７】
通常、吸収性物品９が収容される前の折り畳まれた状態の吸収性物品包装体１を、刃が形成された金型にて挟むことにより、脆弱線１３７〜１３９，１４７〜１４９，１５８の切れ目（線状切断部）が形成されるため、脆弱線１３７〜１３９，１４７〜１４９，１５８の形成の簡素化という観点からは、前部開口形成部１３２および後部開口形成部１４２の形状は等しくされることが好ましい。
【００４８】
図５に示す前面部１３では、複数の矢印２３２，２３３が印刷されることにより、前面横脆弱線１３８および前面縦脆弱線１３９に沿った破断が使用者に促されるが、例えば、図１２に示すように、前面部１３において、第１側面部１５に向かう方向を示す１つの矢印２３２、および、下面部１２に向かう方向を示す１つの矢印２３３のみが印刷され、後面部１４において、第１側面部１５に向かう方向を示す１つの矢印２４２、および、下面部１２に向かう方向を示す１つの矢印２４３のみが印刷されてもよい。なお、図１２では、補助タブ１３３，１４３の近傍における破断案内線２３１の一部が、他の部分よりも太くなっており、補助タブ１３３，１４３の位置が強調されている。また、補助タブ１３３，１４３を引っ張る方向を示す表示は、矢印以外に、図１３に示すように番号を付すことにより行われてもよく（「ａ，ｂ，ｃ」等の文字でもよい。）、図１４に示すように破断案内線２３１の太さを順次変更することにより行われてもよい。
【００４９】
また、前面部１３では、図１５に示すように、（＋Ｘ）側かつ（−Ｚ）側を向く１つの矢印２３２ａのみが前面部１３に印刷されてもよい。さらに、図１６に示すように、前部開口形成部１３２内において補助タブ１３３近傍から（＋Ｘ）側かつ（−Ｚ）側に向かうに従って間隔が漸次増大する平行斜線や、図１７に示すように、前部開口形成部１３２内において補助タブ１３３近傍から放射状に広がる多数の直線を印刷することにより、補助タブ１３３を引っ張る方向を指示する表示が実質的に行われてもよい。
【００５０】
図１８に示すように、前面部１３および第１側面部１５の一部のみに脆弱線１３７〜１３９，１５８が形成され、後面部１４における脆弱線１４７〜１４９は省略されてもよい。この場合、前面部１３および第１側面部１５に前部開口および側部開口（ただし、側部開口はＹ方向の全体には形成されない。）が形成され、後面部１４には開口は形成されない。また、図１９に示すように、前面部１３のみに脆弱線１３７〜１３９が形成され、後面部１４および第１側面部１５における脆弱線１４７〜１４９，１５８は省略されてもよい。この場合、前面部１３に前部開口が形成され、後面部１４および第１側面部１５には開口は形成されない。図１．Ｂの開口１８と同様に、図１８の例における前部開口および側部開口、並びに、図１９の例における前部開口は、吸収性物品９の取り出しに利用される。
【００５１】
吸収性物品包装体１は、尿取りパッド等の補助吸収具以外にも、いわゆるパンツタイプの使い捨ておむつや、着用者の腹側に当接する部位と背側に当接する部位とを腰回りで止着して着用するいわゆるオープンタイプの使い捨ておむつ、おむつカバーと併用されるいわゆるフラットタイプの使い捨ておむつ、生理用品等の他の吸収性物品の包装に利用されてよい。
【００５２】
上記実施の形態および各変形例における構成は、相互に矛盾しない限り適宜組み合わされてよい。
【符号の説明】
【００５３】
１    吸収性物品包装体
９    吸収性物品
１１    上面部
１２    下面部
１３    前面部
１４    後面部
１５    第１側面部
１６    第２側面部
９０    吸収性物品積層体
１３１    前部開口
１３３    補助タブ
１３７    前面補助脆弱線
１３８    前面横脆弱線
１３９    前面縦脆弱線
１４１    後部開口
１４８    後面横脆弱線
１４９    後面縦脆弱線
１５８    側面横脆弱線
９０１    上面
９０２    下面
９０３    前面
９０４    後面
９０５，９０６    側面
１３８１，１３９１    線状切断部
１３８２，１３９２    非切断部
【図１．Ａ】
0005871632.tif 000002
【図１．Ｂ】
0005871632.tif 000003
【図１．Ｃ】
0005871632.tif 000004
【図２】
0005871632.tif 000005
【図３】
0005871632.tif 000006
【図４】
0005871632.tif 000007
【図５】
0005871632.tif 000008
【図６】
0005871632.tif 000009
【図７】
0005871632.tif 000010
【図８】
0005871632.tif 000011
【図９】
0005871632.tif 000012
【図１０】
0005871632.tif 000013
【図１１】
0005871632.tif 000014
【図１２】
0005871632.tif 000015
【図１３】
0005871632.tif 000016
【図１４】
0005871632.tif 000017
【図１５】
0005871632.tif 000018
【図１６】
0005871632.tif 000019
【図１７】
0005871632.tif 000020
【図１８】
0005871632.tif 000021
【図１９】
0005871632.tif 000022